(57)【要約】【課題】  軽合金製のステアリングサポートメンバに対する車載部品取付ブラケットの有効な固定手段を確保し得るようにする。【解決手段】  車室前部に車幅方向１へ配設されるステアリングサポートメンバ２が軽合金によって構成され、軽合金製のステアリングサポートメンバ２が、車載部品取付ブラケット１１を仮保持可能な取付ブラケット仮保持部１２を備えるようにしている。【選択図】        図１
2006015880.tif 000002
【特許請求の範囲】
【請求項１】
車室前部に車幅方向へ配設されるステアリングサポートメンバが軽合金によって構成され、該軽合金製のステアリングサポートメンバが、車載部品取付ブラケットを仮保持可能な取付ブラケット仮保持部を備えたことを特徴とするステアリングサポートメンバ構造。
【請求項２】
前記取付ブラケット仮保持部が、軽合金製のステアリングサポートメンバに一体形成された平面視ほぼＴ字状の係止孔であることを特徴とする請求項１記載のステアリングサポートメンバ構造。
【請求項３】
前記平面視ほぼＴ字状の係止孔が、ステアリングサポートメンバに設定された取付ブラケット固定面の上方に形成されて、車載部品取付ブラケットを懸垂状態で仮保持可能であることを特徴とする請求項２記載のステアリングサポートメンバ構造。
【発明の詳細な説明】
【技術分野】
【０００１】
この発明は、ステアリングサポートメンバ構造に関するものである。
【背景技術】
【０００２】
自動車などの車両では、車室前部にほぼ車幅方向へ延びて車体の左右を連結するステアリングサポートメンバなどの強度部材が配設されている。従来のステアリングサポートメンバは、鉄製のパイプによって構成されている。
【０００３】
しかし、鉄パイプ製のステアリングサポートメンバには、重量が重いという本質的な問題があり、そのため、材質を変えることによって軽量化を図ることが検討されている。その中でも最も有力なものは、ステアリングサポートメンバを軽合金によって構成することであり、現在、そのための研究開発が各方面で進められている（例えば、特許文献１参照）。
【０００４】
一方、車室前部にほぼ車幅方向へ配設されるステアリングサポートメンバには、ステアリングコラムや空調ユニットやエアバッグモジュールやオーディオなどの各種の部品が取付けられている。ステアリングサポートメンバが鉄パイプ製である場合には、鉄パイプに対して別部材である取付ブラケットを溶接し、この溶接された取付ブラケットを介して間接的にこれらの車載部品を取付けるようにしていた。
【特許文献１】特開２００１−１９４６号公報
【発明の開示】
【発明が解決しようとする課題】
【０００５】
しかしながら、軽合金製のステアリングサポートメンバは、取付ブラケットの溶接が困難であるため、取付ブラケットの固定構造を検討する必要がある。
【課題を解決するための手段】
【０００６】
上記課題を解決するために、請求項１に記載された発明では、車室前部に車幅方向へ配設されるステアリングサポートメンバが軽合金によって構成され、該軽合金製のステアリングサポートメンバが、車載部品取付ブラケットを仮保持可能な取付ブラケット仮保持部を一体形成されステアリングサポートメンバ構造を特徴としている。
【０００７】
請求項２に記載された発明では、前記取付ブラケット仮保持部が、軽合金製のステアリングサポートメンバに一体形成された平面視ほぼＴ字状の係止孔である請求項１記載のステアリングサポートメンバ構造を特徴としている。
【０００８】
請求項３に記載された発明では、平面視ほぼＴ字状の係止孔が、ステアリングサポートメンバに設定された取付ブラケット固定面の上方に形成されて、車載部品取付ブラケットを懸垂状態で仮保持可能である請求項２記載のステアリングサポートメンバ構造を特徴としている。
【発明の効果】
【０００９】
請求項１の発明によれば、軽合金製のステアリングサポートメンバが、車載部品取付ブラケットを仮保持可能な取付ブラケット仮保持部を備えたことにより、車載部品取付ブラケットを仮保持させてから固定するようにすることで、軽合金製のステアリングサポートメンバにとって、手間がかからず有効な車載部品取付ブラケットの固定構造が得られる。以て、車載部品の取付けの容易化を図ることができる。
【００１０】
請求項２の発明によれば、取付ブラケット仮保持部として、軽合金製のステアリングサポートメンバに平面視ほぼＴ字状の係止孔を一体形成したことにより、車載部品取付ブラケットを平面視ほぼＴ字状の係止孔に係止させるだけで簡単に仮保持を行うことができ、また、平面視ほぼＴ字状の係止孔は精度良く形成できてしかも左右方向の位置決め機能を持っているので、仮保持から固定までを容易に行うことが可能となる。更に、平面視ほぼＴ字状の係止孔は、無理なく一体形成することができて軽合金製のステアリングサポートメンバにとって構造上も最適である。
【００１１】
請求項３の発明によれば、平面視ほぼＴ字状の係止孔を、ステアリングサポートメンバに設定された取付ブラケット固定面の上方に形成したことにより、車載部品取付ブラケットを懸垂状態で仮保持することが可能となり、安定した仮保持状態を得ることができる。しかも、懸垂状態で仮保持された車載部品取付ブラケットは、ステアリングサポートメンバに設定された取付ブラケット固定面に対して位置精度良く着座されることとなるので、そのまま直ちに固定することができる。
【発明を実施するための最良の形態】
【００１２】
軽合金製のステアリングサポートメンバに対する車載部品取付ブラケットの有効な固定手段を確保するという目的を、ステアリングサポートメンバに、車載部品取付ブラケットを仮保持可能な取付ブラケット仮保持部を備える、という手段で実現した。
【実施例】
【００１３】
以下、本発明を具体化した実施例について、図示例と共に説明する。
【００１４】
図１、図２は、この発明の実施例を示すものである。
【００１５】
まず、構成を説明すると、自動車などの車両では、車室前部にほぼ車幅方向１へ延びて車体の左右を連結するステアリングサポートメンバ２などの強度部材が配設される。このステアリングサポートメンバ２は、インストルメントパネルの内部に設置される。ステアリングサポートメンバ２は、ほぼ車幅方向１へ延びるメンバ本体３と、このメンバ本体３の両端部に設けられた車体に対する取付ブラケット４と、メンバ本体３の中間部をフロワパネルへ支持させるための一対のステー５とを主に備えている。
【００１６】
この実施例のものでは、車室前部にほぼ車幅方向１へ配設されるステアリングサポートメンバ２を軽合金によって構成する。ステアリングサポートメンバ２は、例えば、マグネシウム合金やアルミニウム合金などの軽合金とする。この軽合金製のステアリングサポートメンバ２は、この実施例では、運転席側部分および中央部分を有する第１部材６と、助手席側部分を有する第２部材７とに分割して鋳造されている。そして、第１部材６と第２部材７との間には、相互に嵌着可能な結合部８を備えている。この結合部８は、ボルト９で固定されるようになっている。
【００１７】
そして、この軽合金製のステアリングサポートメンバ２は、車載部品取付ブラケット１１を仮保持可能な取付ブラケット仮保持部１２を備えている。この取付ブラケット仮保持部１２は、例えば、ステアリングサポートメンバ２の中間部となる第１部材６上の位置に設けられる。
【００１８】
この取付ブラケット仮保持部１２を、軽合金製のステアリングサポートメンバ２に一体形成された平面視ほぼＴ字状の係止孔１３とする。この係止孔１３は、例えば、Ｔ字の頭部が車両前方に位置し、Ｔ字の脚部が車両後方に位置するように形成している。
【００１９】
更に、この平面視ほぼＴ字状の係止孔１３を、ステアリングサポートメンバ２に設定された取付ブラケット固定面１６の上方に形成して、車載部品取付ブラケット１１を懸垂状態で仮保持可能なものとする。この取付ブラケット固定面１６は、車載部品取付ブラケット１１の上端側を固定するために設定されている。
【００２０】
加えて、ステアリングサポートメンバ２中央部分の各ステー５からほぼ車両後方へ向けてアーム１７を延設し、このアーム１７の先端を車幅方向内側に屈曲して車載部品取付ブラケット１１の下端側を固定するための取付ブラケット固定面１８を設定する。これらの取付ブラケット固定面１６，１８には、車載部品取付ブラケット１１をネジ止めするためのネジ孔が設けられている。
【００２１】
一方、車載部品取付ブラケット１１は、例えば、オーディオ２１などの車載部品を取付けるためのものとする。この実施例では、車載部品取付ブラケット１１は、上部ブラケット２２と下部ブラケット２３とに分割されている。下部ブラケット２３は、オーディオ２１を保持するラックとしての機能を有しており、上部ブラケット２２は、このラックをステアリングサポートメンバ２に支持させる機能を有している。上部ブラケット２２と下部ブラケット２３とはネジ止めにより連結されるようになっている（連結部２４）。そして、上部ブラケット２２の上部には、取付ブラケット固定面１６に当接されるメンバ固定面２８が設けられている。また、下部ブラケット２３には、取付ブラケット固定面１８に当接されるメンバ固定面２９が設けられている。メンバ固定面２８に対しメンバ固定面２９は、車両前後方向後方に位置している。メンバ固定面２８，２９にはステアリングサポートメンバ２にネジ止めするためのネジ孔３０が設けられている。更に、上部ブラケット２２のメンバ固定面２８よりも上部には、取付ブラケット仮保持部１２の係止孔１３と対応するＴ字状の係合突起３２が一体に突設されている。
【００２２】
次に、この実施例の作用について説明する。
【００２３】
ステアリングサポートメンバ２に対してオーディオ２１などの車載部品を取付けるには以下のようにする。
【００２４】
第一の手段として、上部ブラケット２２と下部ブラケット２３とを連結した状態で取付けることができる。この場合には、オーディオ２１などの車載部品に下部ブラケット２３を取付けると共に、上部ブラケット２２と下部ブラケット２３とを連結して車載部品取付ブラケット１１を一体化した後、上部ブラケット２２のＴ字状の係合突起３２をステアリングサポートメンバ２の平面視ほぼＴ字状の係止孔１３に上方から係合させる。そして、係止孔１３を中心として車載部品取付ブラケット１１を前方で且つ下方へ僅かに回動させると、ステアリングサポートメンバ２の取付ブラケット固定面１６，１８に、車載部品取付ブラケット１１のメンバ固定面２８，２９が後方から当接し、回動が停止される。これにより、ステアリングサポートメンバ２に対して、オーディオ２１などの車載部品および車載部品取付ブラケット１１が係止孔１３と係合突起３２によって懸垂状態となり、取付ブラケット固定面１６，１８とメンバ固定面２８，２９によって上下２点左右２点の合計４点支持状態となると共に、取付ブラケット固定面１６，１８とメンバ固定面２８，２９との間にはオーディオ２１などの車載部品の荷重で所要の面圧が作用するので、安定した仮保持状態が得られる。最後に、取付ブラケット固定面１６，１８とメンバ固定面２８，２９との間をネジ止めすることにより、ステアリングサポートメンバ２に車載部品取付ブラケット１１を介してオーディオ２１などの車載部品が固定される。
【００２５】
第二の手段として、上部ブラケット２２と下部ブラケット２３とを別々に取付けることができる。この場合には、上記と同様に上部ブラケット２２をステアリングサポートメンバ２の第１部材６に、係止孔１３と係合突起３２を利用して仮保持した後に、取付ブラケット固定面１６とメンバ固定面２８とをネジ止め固定する。そして、オーディオ２１などの車載部品を取付けた下部ブラケット２３を、上部ブラケット２２に連結して車載部品取付ブラケット１１を一体化すると共に、取付ブラケット固定面１８とメンバ固定面２９とをネジ止めすることにより、ステー５のアーム１７に固定する。
【００２６】
このように、この実施例によれば、軽合金製のステアリングサポートメンバ２が、車載部品取付ブラケット１１を仮保持可能な取付ブラケット仮保持部１２を備えたことにより、車載部品取付ブラケット１１を仮保持させてから固定するようにすることで、溶接に向いていない軽合金製のステアリングサポートメンバ２にとって、手間がかからず有効な車載部品取付ブラケット１１の固定構造が得られる。以て、オーディオ２１などの車載部品の取付けの容易化を図ることができる。
【００２７】
また、取付ブラケット仮保持部１２として、軽合金製のステアリングサポートメンバ２に平面視ほぼＴ字状の係止孔１３を一体形成したことにより、車載部品取付ブラケット１１を平面視ほぼＴ字状の係止孔１３に係止させるだけで簡単に仮保持を行うことができ、また、平面視ほぼＴ字状の係止孔１３は精度良く形成できてしかも左右方向の位置決め機能を持っているので、仮保持から固定までを容易に行うことが可能となる。更に、平面視ほぼＴ字状の係止孔１３は、無理なく一体形成することができて軽合金製のステアリングサポートメンバ２にとって構造上も最適である。
【００２８】
更に、平面視ほぼＴ字状の係止孔１３を、ステアリングサポートメンバ２に設定された取付ブラケット固定面１６の上方に形成したことにより、車載部品取付ブラケット１１を懸垂状態で仮保持することが可能となり、安定した仮保持状態を得ることができる。しかも、懸垂状態で仮保持された車載部品取付ブラケット１１は、ステアリングサポートメンバ２に設定された取付ブラケット固定面１６に対して位置精度良く着座されることとなるので、そのまま直ちに固定することができる。
【００２９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３０】
【図１】本発明の実施例の全体斜視図である。
【図２】図１の部分拡大斜視図である。
【符号の説明】
【００３１】
１    車幅方向
２    ステアリングサポートメンバ
１１  車載部品取付ブラケット
１２  取付ブラケット仮保持部
１３  係止孔
１６  取付ブラケット固定面
【図１】
2006015880.tif 000003
【図２】
2006015880.tif 000004